(57)【要約】      （修正有）【課題】電源を入れたときに全ての火力表示手段の発光素子を、所定の時間間隔で順次発光させることで、使用者に電源が入ったことを視覚的に認知させることができる加熱調理器を提供する。【解決手段】本体に設けられ、電源を入り切りする電源スイッチと、本体上方に設けられ、被加熱物を載置する天板と、天板下方に設けられ、被加熱物を加熱する加熱手段１１、１２、１３と、天板下方に直線又は曲線上に並べて設けた複数の発光素子の発光する素子数によって加熱手段の火力の大小を表示する火力表示手段と、各発光素子を個別の発光タイミングで発光させるように制御する制御手段と、を備え、電源スイッチにより電源を入れた後、制御手段は、発光素子の列の一方の端から他方の端に向かって、所定の時間間隔で順次発光素子を発光させるようにした。【選択図】図６
2015041495.tif 000002
【特許請求の範囲】
【請求項１】
本体に設けられ、電源を入り切りする電源スイッチと、
前記本体上方に設けられ、被加熱物を載置する天板と、
該天板下方に設けられ、前記被加熱物を加熱する加熱手段と、
前記天板下方に直線又は曲線上に並べて設けた複数の発光素子の発光する素子数によって前記加熱手段の火力の大小を表示する火力表示手段と、
前記各発光素子を個別の発光タイミングで発光させるように制御する制御手段と、を備え、
前記電源スイッチにより電源を入れた後、前記制御手段は、前記発光素子の列の一方の端から他方の端に向かって、所定の時間間隔で順次発光素子を発光させるようにしたことを特徴とする加熱調理器。
【請求項２】
本体に設けられ、電源を入り切りする電源スイッチと、
前記本体上方に設けられ、被加熱物を載置する天板と、
該天板下方に設けられ、前記被加熱物を加熱する複数の加熱手段と、
複数の該加熱手段毎に、前記天板下方に直線又は曲線上に並べて設けた複数の発光素子の発光する素子数によって前記加熱手段の火力の大小を表示する火力表示手段と、
前記各発光素子を個別の発光タイミングで発光させるように制御する制御手段と、を備え、
前記電源スイッチにより電源を入れた後、前記制御手段は、左方に配設された加熱手段に対応する火力表示手段の前記発光素子の左端から、右方に配設された加熱手段に対応する火力表示手段の前記発光素子の右端まで、あるいは右方に配設された加熱手段に対応する火力表示手段の前記発光素子の右端から、左方に配設された加熱手段に対応する火力表示手段の前記発光素子の左端まで、所定の時間間隔で順次発光素子を発光させるようにしたことを特徴とする加熱調理器。
【請求項３】
本体に設けられ、電源を入り切りする電源スイッチと、
前記本体上方に設けられ、被加熱物を載置する天板と、
該天板下方に設けられ、前記被加熱物を加熱する左加熱手段、中央加熱手段、右加熱手段と、
前記天板下方に直線又は曲線上に並べて設けた複数の発光素子の発光する素子数によって、前記左加熱手段の火力の大小を表示する左火力表示手段、前記中央加熱手段の火力の大小を表示する中央火力表示手段と、前記右加熱手段の火力の大小を表示する右火力表示手段と、
前記左加熱手段の加熱条件を設定して入力する左入力手段、前記中央加熱手段の加熱条件を設定して入力する中央入力手段、前記右加熱手段の加熱条件を設定して入力する右入力手段と、
前記天板下方に、前記天板に設けられた窓部からそれぞれ目視可能に設けられた、前記左加熱手段の前記加熱条件を表示する左表示手段、前記中央加熱手段の前記加熱条件を表示する中央表示手段、前記右加熱手段の前記加熱条件を表示する右表示手段と、
前記左、中央、右それぞれの加熱手段と、前記左、中央、右それぞれの火力表示手段の前記発光素子と、前記左、中央、右それぞれの入力手段と、前記左、中央、右それぞれの表示手段を制御する制御手段と、を備え、
前記電源スイッチにより電源を入れた後、前記制御手段は、前記左加熱手段に対応する前記左火力表示手段の前記発光素子の左端から前記右加熱手段に対応する前記右火力表示手段の前記発光素子の右端まで、あるいは前記右加熱手段に対応する前記火力表示手段の前記発光素子の右端から前記左加熱手段に対応する前記火力表示手段の前記発光素子の左端まで、前記左、中央、右それぞれの加熱手段に対応する前記左、中央、右それぞれの火力表示手段の前記発光素子を、所定の時間間隔で順次発光素子を発光させるようにし、
前記制御手段は、前記左入力手段から前記加熱条件の入力があると、前記左表示手段に前記加熱条件を表示し、前記左火力表示手段の前記左表示手段から最も遠い前記発光素子から前記左表示手段に最も近い前記発光素子まで、所定の時間間隔で順次発光素子を発光させるようにし、前記右入力手段から前記加熱条件の入力があると、前記右表示手段に前記加熱条件を表示し、前記右火力表示手段の前記右表示手段から最も遠い端の前記発光素子から前記右表示手段に最も近い端の前記発光素子まで、所定の時間間隔で順次発光素子を発光させるようにしたことを特徴とする加熱調理器。
【請求項４】
前記発光素子の配列位置は、被加熱物を載置する前記天板の所定位置から見て、前記電源スイッチを操作する使用者に近い側にあって、使用者と前記所定位置とを結ぶ直線に対し、交差するように横方向に長く設置してあることを特徴とする請求項１乃至請求項３何れか１項に記載の加熱調理器。
【請求項５】
前記制御手段は、前記左入力手段から前記加熱条件の入力があると、前記左表示手段に前記加熱条件を表示し、前記右火力表示手段の前記左表示手段から最も遠い端の前記発光素子から前記左火力表示手段の前記左表示手段に最も近い端の前記発光素子まで、所定の時間間隔で順次発光素子を発光させるようにし、前記右入力手段から前記加熱条件の入力があると、前記右表示手段に前記加熱条件を表示し、前記左火力表示手段の前記右表示手段から最も遠い端の前記発光素子から前記右火力表示手段の前記右表示手段に最も近い端の前記発光素子まで、所定の時間間隔で順次発光素子を発光させるようにしたことを特徴とする請求項３に記載の加熱調理器。
【請求項６】
前記制御手段は、前記中央入力手段から前記加熱条件の入力があると、前記中央表示手段に前記加熱条件を表示し、前記左火力表示手段及び前記右火力表示手段の前記中央表示手段から最も遠い端の前記発光素子から前記左火力表示手段及び前記右火力表示手段の前記中央表示手段に最も近い端の前記発光素子まで、所定の時間間隔で順次発光素子を発光させるようにしたことを特徴とする請求項３乃至請求項５何れか１項に記載の加熱調理器。
【請求項７】
前記本体の前方に、前記左加熱手段の火力を設定する左火力設定手段、前記中央加熱手段の火力を設定する中央火力設定手段、前記右加熱手段の火力を設定する右火力設定手段と、を備え、
前記制御手段は、前記左、中央、右それぞれの火力表示手段が点灯しているときに、前記左、中央、右それぞれの火力設定手段の内、何れかの前記火力設定手段が操作された場合、操作された火力設定手段の前記加熱手段に対応する前記火力表示手段を、他の火力表示手段よりも高い階調で点灯させるようにしたことを特徴とする請求項３乃至請求項６何れか１項に記載の加熱調理器。
【請求項８】
前記制御手段は、前記発光素子の発光の階調を変えながら、所定の時間間隔で順次発光素子を発光させるようにしたことを特徴とする請求項１乃至請求項７何れか１項に記載の加熱調理器。
【請求項９】
前記発光素子は複数の色を発光できるものであり、前記制御手段は、前記発光素子の前記複数の色を所定の時間ずらして発光させ、発光の色調を変えながら、所定の時間間隔で順次発光素子を発光させるようにしたことを特徴とする請求項１乃至請求項７何れか１項に記載の加熱調理器。
【請求項１０】
前記制御手段は、前記発光素子を所定の時間間隔で順次発光素子を発光させる場合、少なくとも隣り合う次の発光素子を点灯させたときに、その前に点灯させた発光素子を消灯させていないことを特徴とする請求項１乃至請求項９何れか１項に記載の加熱調理器。
【請求項１１】
前記天板の温度を検出する温度検出手段を、備え、
前記電源スイッチにより電源を入れたときに、前記制御手段は、前記温度検出手段が検出した前記天板の温度が所定の温度以上Ｔ１であるときは、前記左、中央、右それぞれの火力表示手段の前記発光素子を、所定の時間間隔で順次発光させないようにしたことを特徴とする請求項３乃至請求項１０何れか１項に記載の加熱調理器。
【請求項１２】
本体上方に設けられ、被加熱物を載置する天板と、
該天板下方に設けられ、前記被加熱物を加熱する複数の加熱手段と、
複数の該加熱手段毎に、前記天板にそれぞれ設けられた火力表示手段と、
前記天板下方で、複数の前記加熱手段毎にそれぞれ設けられた前記火力表示手段を表示するための複数の発光素子と、
前記天板下方で、複数の前記加熱手段毎に、該加熱手段の近傍にそれぞれ設けられた前記天板の温度を検出する温度検出手段と、
複数の前記加熱手段と、該加熱手段毎にそれぞれ設けられた前記火力表示手段を制御する制御手段と、を備え、
前記制御手段は、複数の前記加熱手段の何れかの加熱手段の加熱が終了したときに、加熱が終了した前記加熱手段近傍の前記温度検出手段が検出した前記天板の温度が所定の温度Ｔ２以上であるときは、加熱が終了した前記加熱手段に対応する前記火力表示手段を、前記発光素子の発光の階調を変えながら点灯させることを特徴とする加熱調理器。
【請求項１３】
前記制御手段は、前記温度検出手段が検出した前記天板の温度が前記所定の温度Ｔ２より低くなるまで、前記火力表示手段を前記発光素子の発光の階調を徐々に落としながら点灯させ、前記天板の温度が前記所定の温度Ｔ２より低くなったときに前記火力表示手段を消灯させることを特徴とする請求項１２に記載の加熱調理器。
【請求項１４】
前記制御手段は、複数の前記加熱手段の何れかの加熱手段が加熱中に、加熱中の前記加熱手段近傍の前記温度検出手段が検出した前記天板の温度が所定の温度Ｔ３以上であるときは異常であると判断し、加熱中の前記加熱手段の加熱を停止させるとともに、加熱を停止させた前記加熱手段に対応する前記火力表示手段を、前記発光素子の発光の階調を変えながら点灯させることを特徴とする請求項１２あるいは請求項１３何れかに記載の加熱調理器。
【発明の詳細な説明】
【技術分野】
【０００１】
本発明は、火力表示手段を備えた加熱調理器に関する。
【背景技術】
【０００２】
従来、電源スイッチと加熱手段に対応する火力表示手段を備えていて、加熱手段の火力を設定するときに火力表示手段が点灯する加熱調理器が知られている（例えば、特許文献１参照）。
【先行技術文献】
【特許文献】
【０００３】
【特許文献１】特開２００３−１４２２４５号公報（第３頁、図２）
【発明の概要】
【発明が解決しようとする課題】
【０００４】
しかし、従来の加熱調理器では、電源スイッチにより電源を入れた時点では火力表示手段は点灯せず、電源スイッチ近傍に設けられたＬＥＤを１つ点灯させたり、操作キーを１つ点灯させたりするだけであるので、使用者に対して電源が入ったことを視覚的に認知させ難く、使用者に不安感が残るという問題があった。
【０００５】
本発明は、上記課題に鑑みてなされたものであり、電源を入れたときに全ての火力表示手段の発光素子を、所定の時間間隔で順次発光させることで、使用者に電源が入ったことを視覚的に認知させることができる加熱調理器を提供することを目的とする。
【課題を解決するための手段】
【０００６】
課題を解決する本発明の加熱調理器は、本体に設けられ、電源を入り切りする電源スイッチと、本体上方に設けられ、被加熱物を載置する天板と、天板下方に設けられ、被加熱物を加熱する加熱手段と、天板下方に直線又は曲線上に並べて設けた複数の発光素子の発光する素子数によって加熱手段の火力の大小を表示する火力表示手段と、各発光素子を個別の発光タイミングで発光させるように制御する制御手段と、を備え、電源スイッチにより電源を入れた後、制御手段は、発光素子の列の一方の端から他方の端に向かって、所定の時間間隔で順次発光素子を発光させるようにしたものである。
【発明の効果】
【０００７】
本発明によれば、複数の加熱手段に対応する全ての火力表示手段の複数の発光素子を、所定の時間間隔で順次発光させるようにしたので、使用者に電源が入ったことを視覚的に認知させることができ、使用者に安心感を与えることができる。
【０００８】
さらに、所定の時間間隔で順次発光させることで、順番に複数の加熱手段の火力表示手段が点灯するので、それぞれの加熱手段を使用者に印象付けることができ、使用者に加熱手段が複数使えることを認知させることができる。
【図面の簡単な説明】
【０００９】
【図１】本発明の実施の形態１に係る加熱調理器の構成を示す斜視図である。
【図２】本発明の実施の形態１に係る加熱調理器の構成を示す天板を外した状態の斜視図である。
【図３】本発明の実施の形態１に係る加熱調理器の構成を示す天板を外して上方から見た模式図である。
【図４】本発明の実施の形態１に係る加熱調理器の基本構成を示すブロック図である。
【図５】（ａ）本発明の実施の形態１に係る加熱調理器の加熱手段の一実施例を示す平面図、（ｂ）本発明の実施の形態１に係る加熱調理器の加熱手段の他の実施例を示す平面図である。
【図６】本発明の実施の形態１に係る加熱調理器の電源入りのときの発光素子の点灯順序の一実施例を示す模式図である。
【図７】本発明の実施の形態１に係る加熱調理器の発光素子の点灯状態を示す点灯パターン模式図である。
【図８】本発明の実施の形態１に係る加熱調理器の多色発光素子の点灯状態を示す点灯パターン模式図である。
【図９】本発明の実施の形態１に係る加熱調理器の左表示手段へ視線を導くように火力表示手段を点灯させるときの発光素子の点灯順序の一実施例を示す模式図である。
【図１０】本発明の実施の形態１に係る加熱調理器の中央表示手段へ視線を導くように火力表示手段を点灯させるときの発光素子の点灯順序の他の実施例を示す模式図である。
【図１１】本発明の実施の形態１に係る加熱調理器の左加熱手段の火力設定をしているときの、火力表示手段の発光素子点灯状況の一実施例を示す模式図である。
【図１２】本発明の実施の形態１に係る加熱調理器の左加熱手段の高温報知をしているときの、火力表示手段の発光素子点灯状況の一実施例を示す模式図である。
【図１３】本発明の実施の形態１に係る加熱調理器の左加熱手段の高温報知をしているときの、火力表示手段の発光素子点灯状況の一実施例を示す模式図である。
【発明を実施するための形態】
【００１０】
実施の形態１
（構成）
図１は本発明の実施の形態１に係る加熱調理器の構成を示す斜視図、図２は本発明の実施の形態１に係る加熱調理器の構成を示す天板を外した状態の斜視図、図３は本発明の実施の形態１に係る加熱調理器の構成を示す天板を外して上方から見た模式図、図４は本発明の実施の形態１に係る加熱調理器の基本構成を示すブロック図、図５（ａ）は本発明の実施の形態１に係る加熱調理器の加熱手段の一実施例を示す平面図、図５（ｂ）は本発明の実施の形態１に係る加熱調理器の加熱手段の他の実施例を示す平面図である。
【００１１】
以下、図１〜図５により本発明の実施の形態１の加熱調理器の構成を説明する。
なお、それぞれの図において、同じ部分または相当する部分には同じ符号を付し、一部の説明を省略する場合がある。
【００１２】
図１に示すように、本発明の実施の形態１の加熱調理器１００は、本体１の天面に鍋等の調理容器である被調理物１０を載置可能な非磁性体、例えば結晶化ガラスからなるトッププレート２と、その外周に図示しないシリコン系接着剤等で固着された金属、例えばステンレスで構成された枠体３を備えてなる天板４を備えている。
【００１３】
それから、天板４に各種の操作入力を行う上面操作部５を備えている。上面操作部５には、後述する左加熱手段に対応する上面左操作部５ａ、右加熱手段に対応する上面右操作部５ｂ、中央加熱手段に対応する上面中央操作部５ｃが設けられている。
【００１４】
本体１の前面には前面操作部６と、加熱調理器の電源を入り切りする電源スイッチ７を備えている。前面操作部６には後述する左加熱手段の火力を設定する左火力設定手段６ａ、右加熱手段の火力を設定する右火力設定手段６ｂ、中央加熱手段の火力を設定する中央火力設定手段６ｃが設けられている。
【００１５】
８は魚等の被調理物をその内部に載置してグリル調理やオーブン調理をする調理庫で、輻射式加熱手段（図示せず）が内部に配設されている。調理庫８は前面が開口していて、調理庫８の前面開口には、前述した輻射式加熱手段（図示せず）が配設された空間の開口を閉塞するための調理庫扉９が前方に引き出し自在に設けられている。
【００１６】
調理庫扉９は、その引き出しに連動して被調理物を載置する載置皿（図示せず）と焼き網（図示せず）を引き出せるようになっており、調理庫扉９を最も押し込んだ状態で調理庫８の前面開口が閉塞され調理が行える。調理の操作入力は、上面操作部５または前面操作部６の入力手段（図示せず）から行えるようになっている。
【００１７】
トッププレート２下方の本体１内には、図２に示すように左加熱手段１１、右加熱手段１２、中央加熱手段１３が配設されている。それぞれ誘導加熱コイルからなる誘導加熱手段であり、このように加熱手段が３つ設けられたものは３口タイプの加熱調理器と呼ばれるものである。
【００１８】
左加熱手段１１、右加熱手段１２、中央加熱手段１３の上方となるトッププレート２にはそれぞれ左加熱手段１１を使用するときに鍋を置く位置を示す左載置部２ｄ、右加熱手段１２を使用するときに鍋を置く位置を示す左載置部２ｅ、中央加熱手段１３を使用するときに鍋を置く位置を示す左載置部２ｆが例えば印刷で表されている。
【００１９】
ここで、誘導加熱手段とは、電磁誘導の原理を利用した加熱手段のことを言い、例えば誘導加熱コイルである左加熱手段１１に、図４に示す左加熱手段用インバーター回路２５により高周波交流電流を印加すると、回転した磁力線が発生し誘導加熱コイル内部には一様な磁界が発生する。
【００２０】
磁界が誘導加熱コイルを貫通すると誘導加熱コイル内部では磁束変化を妨げる磁界が発生し、被加熱物に渦電流が流れ高周波交流電流、例えば２０〜９０ｋＨｚの交流電流を印加することで流れ続ける。それで被加熱物の電気抵抗と渦電流によってジュール熱が発生することにより被加熱物が発熱する加熱方式のことである。
【００２１】
なお、前述の説明では誘導加熱手段を３口設けた例をあげたが、加熱手段が３口設けられた加熱調理器では、その内の１口を誘導加熱手段ではない加熱手段、例えばラジエントヒーターのような電熱線からなる輻射式加熱手段で構成してもよく適宜選択可能である。
【００２２】
トッププレート２の下方には、図２及び図３に示すように左表示手段１８、右表示手段１９、中央表示手段２０が設けられており、左表示手段１８はトッププレート２に設けられた窓部２ａ、右表示手段１９は窓部２ｂ、中央表示手段２０は窓部２ｃによって表示内容がそれぞれトッププレート２の上方から視認できるようになっている。
【００２３】
なお、ここでいう左、右中央の各表示手段は、液晶（ＬＣＤ）による表示手段である。但し、液晶（ＬＣＤ）に限定されるものではなく、有機電界発光（Ｅｌｅｃｔｒｏ  Ｌｕｍｉｎｅｓｃｅｎｃｅ：ＥＬ）素子などを用いてもよい。
【００２４】
さらに、前述の表示手段における表示とは、文字や記号、イラストにより、使用者に調理器の動作条件や調理に参考となる関連情報を視覚的に知らせる動作をいう。
【００２５】
それから、トッププレート２には左加熱手段に対応する左火力表示手段１４ａ、右加熱手段に対応する右火力表示手段１４ｂ、中央加熱手段に対応する中央火力表示手段１４ｃが設けられている。
【００２６】
左火力表示手段１４ａ、右火力表示手段１４ｂ、中央火力表示手段１４ｃはトッププレート２自体が点灯するものではなく、図２、図３に示す基板２１に搭載された発光素子１５ａ〜１５ｊからなる左発光素子群１５により左火力表示手段１４ａが、発光素子１６ａ〜１６ｊからなる右発光素子群１６により右火力表示手段１４ｂが、発光素子１７ａ〜１７ｅからなる中央発光素子群１７がそれぞれ発光することで点灯するものである。
【００２７】
前述の発光素子１５ａ〜１５ｊ、１６ａ〜１６ｊ、１７ａ〜１７ｅはそれぞれ半導体発光素子であるチップ状の多色発光可能なＬＥＤ(Ｌｉｇｈｔ  Ｅｍｉｔｔｉｎｇ  Ｄｉｏｄｅ：発光ダイオード)で構成され、基板２１からそれぞれ左発光素子群１５は左火力表示手段用発光素子導光部材２８ａで、右発光素子群１６は右火力表示手段用発光素子導光部材２８ｂで、中央発光素子群１７は中央火力表示手段用発光素子導光部材２８ｃでトッププレート２の裏まで光を導き、トッププレート２を透過した発光素子の光によって左火力表示手段１４ａ、右火力表示手段１４ｂ、中央火力表示手段１４ｃが表示される。
【００２８】
前述したように左加熱手段１１、右加熱手段１２、中央加熱手段１３はそれぞれ誘導加熱コイルからなる誘導加熱手段であり、調理庫８の側方には電子部品（図示せず）から構成された図４に示す制御手段２２を内包した制御基板（図示せず）が配設されている。
【００２９】
さらに、スイッチング素子（図示せず）や整流回路（図示せず）、その他電子部品（図示せず）から構成された図４に示す左加熱手段用インバーター回路２５、右加熱手段用インバーター回路２６、中央加熱手段用インバーター回路２７を内包したインバーター基板（図示せず）が配設されている。
【００３０】
図３及び図４に示すように左加熱手段１１は、その外形内に温度検出手段である左加熱手段用温度センサー２３ａが設けられている。左加熱手段用温度センサー２３ａは温度測定対象に接触させて伝熱で温度を検出する例えばサーミスタ等の伝熱式温度センサーであり、トッププレート２の裏面に接触させ、左加熱手段１１上方のトッププレート２の温度を検出するものである。
【００３１】
同様に右加熱手段１２は、その外形内に温度検出手段である右加熱手段用温度センサー２３ｂが設けられ、２３ｂは伝熱式温度センサーであり、トッププレート２の裏面に接触させ、右加熱手段１２上方のトッププレート２の温度を検出するものである。
【００３２】
中央加熱手段１３は、その外形内に温度検出手段である中央加熱手段用温度センサー２３ｃが設けられ、２３ｃは伝熱式温度センサーであり、トッププレート２の裏面に接触させ、中央加熱手段１３上方のトッププレート２の温度を検出するものである。
【００３３】
なお、本発明の実施の形態１では、温度検出手段として伝熱式温度センサーを使用する例を挙げている。これは伝熱式温度センサーがトッププレート２や被加熱物１０からの輻射熱を受け、被加熱物１０の底部やその直下にあるトッププレート２の温度を確実に検出でき、また、伝熱を検出できるので、被加熱物１０を移動させて場合でもトッププレート２の温度を検出することが可能なことからである。
【００３４】
また、図３及び図４に示すように、左加熱手段１１、右加熱手段１２、中央加熱手段１３のような複数の加熱手段の外形内に、それぞれ温度検出手段を１つ設けた例をあげているが、図５（ａ）に示すように左加熱手段１１（右加熱手段１２、中央加熱手段１３でも同様）の外形内に複数の温度検出手段、例えば温度検出手段２３ａ、３０、３１のように３つの温度検出手段を設けてもよく、温度検出の検出精度を向上させることができる。
【００３５】
さらに、加熱手段の外形内に限らず、温度検出手段３２のように加熱手段の外形外に近接して設けてもよく、外形内外両方に設けてもよい。
【００３６】
それから、本発明の実施の形態１では、各加熱手段の誘導加熱コイルは１つのインバーター回路で動作させる形態の例を挙げているが、これに限定されるものではなく、図５（ａ）に示すような外加熱コイル２９ａ、所定の空間を隔てて設けられ直列に接続された加熱コイル２９ｃと加熱コイル２９ｄからなる内加熱コイル２９ｂに、それぞれ独立したインバーター回路により通電される構成でもよい。
【００３７】
また、外加熱コイルを、図５（ｂ）に示すように、内加熱コイル２９ｂと所定の空間を隔てて設けられ内加熱コイル２９ｂとはそれぞれ独立、または２つセットで通電することが可能な外コイル１（３３ａ）、外コイル２（３３ｂ）、外コイル３（３３ｃ）、外コイル４（３３ｄ）のように複数の加熱コイルで構成してもよい。
【００３８】
（動作）
次に前述の図４と図６〜図１０により、本発明の実施の形態１に係る加熱調理器の動作の一例について説明する。図６は本発明の実施の形態１に係る加熱調理器の電源入りのときの発光素子の点灯順序の一実施例を示す模式図、図７は本発明の実施の形態１に係る加熱調理器の発光素子の点灯状態を示す点灯パターン模式図、図８は本発明の実施の形態１に係る加熱調理器の多色発光素子の点灯状態を示す点灯パターン模式図、図９は本発明の実施の形態１に係る加熱調理器の左表示手段へ視線を導くように火力表示手段を点灯させるときの発光素子の点灯順序の一実施例を示す模式図、図１０は本発明の実施の形態１に係る加熱調理器の中央表示手段へ視線を導くように火力表示手段を点灯させるときの発光素子の点灯順序の他の実施例を示す模式図、図１１は本発明の実施の形態１に係る加熱調理器の左加熱手段の火力設定をしているときの、火力表示手段の発光素子点灯状況の一実施例を示す模式図である。
【００３９】
電源スイッチ７により電源を入れたとき、制御手段２２はＬＥＤの点灯を制御するＩＣドライバーにより、左加熱手段１１に対応する左火力表示手段１４ａの発光素子群１５の、一番左端に設けられた発光素子１５ａから１５ｊに向かって図６に示す矢印Ａの方向に所定の時間間隔で順次発光、点灯させる。
【００４０】
左火力表示手段１４ａに続けて、中央加熱手段１３に対応する中央火力表示手段１４ｃの発光素子群１７の、一番左端に設けられた発光素子１７ａから１７ｅに向かって図６に示す矢印Ｃの方向に所定の時間間隔で順次発光、点灯させる。
【００４１】
さらに、中央火力表示手段１４ｃに続けて、右加熱手段１２に対応する右火力表示手段１４ｂの発光素子群１６の、一番左端に設けられた発光素子１６ａから１６ｊに向かって図６に示す矢印Ｂの方向に所定の時間間隔で順次発光、点灯させる。
【００４２】
このとき、発光素子は単なる点灯ではなく、制御手段２２がＩＣドライバー２４によりそれぞれの階調を変えながら点灯させている。階調とは、段階的な色や明るさの濃淡のことをいい、階調が多いほど滑らかに発光を変化させながら点灯させることができる。
【００４３】
図７は単色での点灯パターンを示したもので、例として１つのフレームが４０秒の発光時間としている。但し、１フレームあたりの発光時間はこれに限定されるものではなく、適宜選択変更が可能である。
【００４４】
発光素子１５ａが淡い発光から１フレーム単位で徐々に濃い発光に点灯パターンを変え、濃い発光を数フレームの時間継続した後、濃い発光から１フレーム単位で徐々に淡い発光へ点灯パターンを変えて消灯するようになっている。発光素子１５ａが点灯を始めてから、１フレーム（４０秒）の時間経過後に発光素子１５ｂが点灯、さらに１フレームの時間経過後に発光素子１５ｃが点灯、というように全ての発光素子が所定の時間間隔で順次発光、点灯するようになっている。
【００４５】
前述のように発光素子は、前の発光素子の点灯から所定時間経過後に順次発光、点灯するようにしているので、図７に示すように、前の発光素子が消灯する前に点灯している。
【００４６】
言い換えると、制御手段２２が隣り合う発光素子、例えば１５ｂが点灯するときには、１５ａはまだ消灯させないように制御しているということである。
【００４７】
前述では単色発光の一例を説明したが、本発明の実施の形態１の発光素子１５ａ〜１５ｊ、１６ａ〜１６ｊ、１７ａ〜１７ｅはそれぞれ多色発光が可能なＬＥＤで構成されている。図８に２色での点灯パターンの例を示す。
【００４８】
図８では、発光素子１５ａがまず赤色の淡い発光で点灯し、１フレーム単位で徐々に濃い発光に点灯パターンを変えていきながら、赤色の発光開始から５フレームの時間経過後に青色の淡い発光で点灯を開始させる。
【００４９】
赤色と青色を同時に発光させると明るい紫あるいはピンク色の発光となり、階調の他に色調も変えながら点灯させることができる。淡い発光から濃い発光まで変化させるフレームの数は赤色、青色とも同じフレーム数であるが、濃い発光を継続するフレームの数は青色の方が少なく設定されており、赤色、青色が同じタイミングで消灯するようになっている。
【００５０】
発光素子１５ａが赤色で点灯を始めてから、１フレーム（４０秒）の時間経過後に発光素子１５ｂが赤色で点灯する。このとき、まだ発光素子１５ａの青色は点灯しておらず、発光素子１５ａの青色が点灯するのは発光素子１５ｆの赤色が点灯するのと同じタイミングである。
【００５１】
同じ発光素子で時間をずらして異なる色を発光させ、階調と色調を変化させながら１５ａ〜１５ｊ、１６ａ〜１６ｊ、１７ａ〜１７ｅの全ての発光素子を所定の時間間隔で順次発光、点灯させるようになっている。
【００５２】
なお、ここでは発光素子１５ａから発光素子１６ｊまで所定の時間間隔で順次発光、点灯させる例で説明したが、この所定の時間間隔で順次発光、点灯を複数繰り返すようにしてもよく、点灯順序を逆側の発光素子１６ｊから発光素子１５ａに向かって所定の時間間隔で順次発光、点灯させるようにしてもよい。
【００５３】
また、発光素子１５ａから発光素子１６ｊまで所定の時間間隔で順次発光、点灯させ、１６ｊから１５ａに向けて戻るように点灯させるようにしてもよい。
【００５４】
なお、所定の時間間隔は発光の開始位置の発光素子から順次発光、点灯していき終了するまで、全てが一定の間隔である必要はなく、順次発光、点灯させながら時間間隔を短くしていってもよいし、長くしていってもよい。
【００５５】
また、発光の開始位置の発光素子から中間位置の発光素子まで順次時間間隔を短くしながら発光、点灯させ、中間位置の発光素子から最後の位置の発光素子まで順次時間間隔元に戻すように発光、点灯させるようにしてもよい。
【００５６】
このように、電源を入れたときに、火力表示手段の全ての発光素子が所定の時間間隔で順次発光、点灯するので使用者に電源が入ったことを視覚的に強く印象付けることができる。また、電源を入れた時点で順番に火力表示手段の発光素子を全て点灯するようにしたので、火力表示手段の発光素子が点灯しない、といった不具合を調理開始前に確認することができ、使用者の安心感を向上できる。
【００５７】
図１から図３に示すように左発光素子群１５、右発光素子群１６、中央発光素子群１７それぞれの発光素子の配列位置は、使用者が視認しやすいように電源スイッチを操作する使用者に近い側にある。
【００５８】
さらに、使用者と鍋などの被加熱物１０を載置する位置とを結ぶ直線に対し、交差するように横方向に長く設置してあるので、使用者の視線を横切るように所定の時間間隔で順次発光、点灯させるようになっていることから、より使用者に電源が入ったことを視覚的に強く印象付けることができる。
【００５９】
なお、使用途中である程度加熱状態が継続された状況で、例えば停電で一度停止し、電源を入れ直したようなときは、火力表示手段の発光素子を所定の時間間隔で順次発光させない場合がある。
【００６０】
例えば、左加熱手段１１を使用中に停電となり、電源を入れ直した後で、後述する左加熱手段１１上方のトッププレート２の温度を検出する温度検出手段２３ａが検出した温度が所定の温度Ｔ１以上であったときは、制御手段２２が左加熱手段１１は加熱状態にあったと判断し、火力表示手段の発光素子を所定の時間間隔で順次発光させないようにする。
【００６１】
これにより、電源を入れ直したときに図示しない記憶手段に記憶された停電前の加熱条件による火力表示や加熱条件の表示が継続して表示されたときに、そのまま調理が継続できるので使用者の使い勝手を向上できる。
【００６２】
次に、上面操作部５の上面左操作部５ａから、左加熱手段１１を動作させるための加熱条件を入力するときの点灯の一例を説明する。上面左操作部５ａからの入力があると、制御手段２２により左表示手段１８に、左加熱手段１１を動作させるために入力された加熱条件が表示される。
【００６３】
制御手段２２は、左表示手段１８に左加熱手段１１の加熱条件を表示するとともに、図９に示すように左表示手段１８から最も遠い右火力表示手段１４ｂの発光素子１６ｊから１６ａに向かって矢印Ｄの方向に所定の時間間隔で順次発光、点灯させる。
【００６４】
右火力表示手段１４ｂの発光素子１６ｊから１６ａに続き、中央火力表示手段１４ｃの発光素子１７ｅから１７ａに向かって矢印Ｅの方向に所定の時間間隔で順次発光、点灯させ、左表示手段１８に最も近い左火力表示手段１４ａの発光素子１５ａに向かって１５ｊから矢印Ｆの方向に所定の時間間隔で順次発光、点灯させる。この場合、発光素子は単色で点灯しても、多色で点灯してもよく、１６ｊから１５ａまでの点灯を、複数回所定の時間間隔で順次発光、点灯させてもよい。
【００６５】
このように発光素子を所定の時間間隔で順次発光、点灯させることで、見てほしい表示、この場合は左加熱手段１１の加熱条件を表示している左表示手段１８に向けて発光素子を所定の時間間隔で順次発光、点灯させることで、使用者に見てほしい表示手段に使用者の視線を誘導することができ、使用者の視認性を向上することができる。
【００６６】
なお、ここでは全ての火力表示手段の発光素子を所定の時間間隔で順次発光、点灯させるようにしたが、左表示手段１８に視線を誘導するときは、左火力表示手段１４ａの発光素子１５ｊから１５ａを矢印Ｆの方向に所定の時間間隔で順次発光、点灯させるようにしてもよい。
【００６７】
また、左表示手段１８へ視線を誘導する例を説明したが、右表示手段１９へ視線を誘導する場合は、右表示手段１９から最も遠い発光素子１５ａから右表示手段１９に最も近い発光素子１６ｊに向けて所定の時間間隔で順次発光、点灯させればよい。
【００６８】
次に、上面操作部５の上面中央操作部５ｃから、中央加熱手段１３を動作させるための加熱条件を入力するときの点灯の一例を説明する。上面中央操作部５ｃからの入力があると、制御手段２２により中央表示手段２０に、中央加熱手段１３を動作させるために入力された加熱条件が表示される。
【００６９】
制御手段２２は、中央表示手段２０に中央加熱手段１３の加熱条件を表示するとともに、図１０に示すように中央表示手段１８から最も遠い左火力表示手段１４ａの発光素子１５ａから１５ｊに向かって矢印Ａの方向に連続して点灯させると同時に、右火力表示手段１４ｂの発光素子１６ｊから１６ａに向かって矢印Ｄの方向に所定の時間間隔で順次発光、点灯させる。
【００７０】
この場合、発光素子は単色で点灯しても、多色で点灯してもよく、１５ａから１５ｊ及び１６ｊから１６ａまでの点灯を、複数回所定の時間間隔で順次発光、点灯させてもよい。また、１５ａと１６ａの点灯開始を同期させてもよく、所定の時間ずらして点灯を開始させてもよい。
【００７１】
このように見てほしい中央表示手段２０に向けて、左右から発光素子を所定の時間間隔で順次発光、点灯させるようにしたので、使用者に見てほしい中央表示手段２０に使用者の視線を誘導することができ、使用者の視認性を向上することができる。
【００７２】
続いて、左加熱手段１１と右加熱手段１２及び中央加熱手段１３の全ての加熱手段を使用するときの点灯の一例を説明する。それぞれ、左加熱手段１１の加熱条件の入力を上面左操作部５ａから、右加熱手段１２の加熱条件の入力を上面左操作部５ｂから、中央加熱手段１３の加熱条件の入力を上面左操作部５ｃから行う。
【００７３】
このとき、左火力表示手段１４ａと右火力表示手段１４ｂ及び中央火力表示手段１４ｃは、火力設定入力待機状態の淡い発光状態で点灯している。それぞれの火力設定条件は前面操作部６に設けられた左火力設定手段６ａ、右火力設定手段６ｂ、中央火力設定手段６ｃで行う。
【００７４】
ここで、左加熱手段１１の火力設定を左火力設定手段６ａで設定する。左火力設定手段６ａは図１及び図２に示すように、本体１の前面側で、左火力表示手段１４ａが設けられている面とは異なる面に設けられている。
【００７５】
そのため、操作する手元を見ながら火力を設定することは難しく、手元を見ずに操作することになるので、操作したい火力設定手段を操作できているか使用者が分からなくなることがある。
【００７６】
よって、左火力設定手段６ａによって左加熱手段１１の火力設定を開始したときに、図１１に示すように左火力表示手段１４ａの発光素子群１５を、右火力表示手段１４ｂの発光素子群１６、中央火力表示手段１４ｃの発光素子群１７の淡い待機状態の発光とは異なる高い（濃い）階調に点灯状態を変えることで、手元を見なくても左加熱手段１１の火力設定をしていることを使用者に認知させることができるので操作性が向上する。
【００７７】
加熱条件、火力が設定され調理が進み、加熱が完了して被加熱物１０を移動しても、加熱に使われた加熱手段上方のトッププレート２は加熱直後、高温であるので触ると火傷の恐れがある。
【００７８】
例えば左加熱手段１１を使用していたとき、加熱終了あとも温度検出手段２３ａの検出する温度が火傷の危険がある温度以上である場合は、制御手段２２が左火力表示手段１４ａの発光素子群１５を、図１２に示すように（ａ）から（ｃ）のように所定の間隔で階調を変えながら点灯させる。
【００７９】
これにより、加熱が終了した後でも、使用していた左加熱手段１１上方のトッププレート２が高温であることを使用者に認知させることができ、高温部に気を付けることができるので安全性が向上する。
【００８０】
なお、図１２に示したように発光素子１５ａから１５ｊを同じように階調を変えながら点灯させる他に、図１３（ａ）に示すように中央付近の１５ｅと１５ｆを高い（濃い）階調にして、１５ｅと１５ｆから外側の１５ａと１５ｊに向かって低い（淡い）階調に変えるようにしたり、図１３（ｂ）に示すように中央付近の１５ｅと１５ｆを低い（淡い）階調にして、１５ｅと１５ｆから外側の１５ａと１５ｊに向かって高い（濃い）階調に変えるようにしたりしてもよく、加熱が終了した後でも、使用していた左加熱手段１１上方のトッププレート２が高温であることを使用者に認知させることができ、高温部に気を付けることができるので安全性が向上する。
【００８１】
高温であることの表示を開始してから、温度検出手段２３ａの検出する左加熱手段１１上方のトッププレート２の温度が所定の温度Ｔ５まで下がったら、図１２に示す（ａ）の階調での点灯を行わず、（ｂ）と（ｃ）で所定の間隔で階調を変えながら点灯させる。
【００８２】
さらに、トッププレート２の温度が所定の温度Ｔ４まで下がったら、図１２に示す（ａ）、（ｂ）の階調での点灯を行わず、（ｃ）と図示しない（ｃ）よりも低い階調で、所定の間隔で階調を変えながら点灯させる。
【００８３】
そして、火傷の恐れの無い所定の温度Ｔ２より低くなったときは、制御手段２２が左火力表示手段１４ａの発光素子群１５を消灯する。
【００８４】
火力表示手段での加熱手段上方のトッププレートの高温状態を表示する例として、通常の状態だけではなく、加熱手段が異常な高温となるような不具合が生じた状態においても表示できる。
【００８５】
例えば、左加熱手段１１を使用しているときに、温度検出手段２３ａが検出した左加熱手段１１上方のトッププレート２の温度が、通常の使用では有り得ない所定の温度Ｔ３以上となった場合、制御手段２２は左加熱手段１１が異常状態となっていると判断し、左加熱手段用インバーター回路２５を制御して左加熱手段１１を停止させる。
【００８６】
そして、左加熱手段１１上方のトッププレート２が高温となっているので、通常の高温状態の表示と同様に制御手段２２が左火力表示手段１４ａの発光素子群１５を、図１２に示すように（ａ）から（ｃ）のように所定の間隔で階調を変えながら点灯させ、高温であることの表示を行う。
【００８７】
これにより左加熱手段１１上方のトッププレート２が高温であることを使用者に認知させることができ、高温部に気を付けることができるので安全性が向上する。なお、通常の高温状態の表示と区別するために、階調を変える間隔を変更するなど、通常の高温状態の表示と異ならせて点灯させることが望ましい。
【００８８】
それから、異常状態で高温となった場合は、左火力表示手段１４ａに高温状態の表示をさせるだけでなく、左表示手段１８に異常状態であること、異常状態で停止したことなどを表示するようにしてもよく、異常状態で加熱が停止していることを使用者に認知させることができる。
【００８９】
以上のように、火力表示手段の発光素子を連続的に階調や色調を変えながら点灯するようにしたので、使用者の認知性、点灯の識別性が向上し、使用者が視認しやすい火力表示手段が実現できる。
【符号の説明】
【００９０】
Ａ  矢印、Ｂ  矢印、Ｃ  矢印、Ｄ  矢印、Ｅ  矢印、Ｆ  矢印、１  本体、２  トッププレート、２ａ  窓部、２ｂ  窓部、２ｃ  窓部、２ｄ  左載置部、２ｅ  右載置部、２ｆ  中央載置部、３  枠体、４  天板、５  上面操作部、５ａ  上面左操作部、５ｂ  上面右操作部、５ｃ  上面中央操作部、６  前面操作部、６ａ  左火力設定手段、６ｂ  右火力設定手段、６ｃ  中央火力設定手段、７  電源スイッチ、８  調理庫、９  調理庫扉、１０  被加熱物、１１  左加熱手段、１２  右加熱手段、１３  中央加熱手段、１４ａ  左火力表示手段、１４ｂ  右火力表示手段、１４ｃ  中央火力表示手段、１５  左発光素子群、１５ａ〜１５ｊ  発光素子、１６  右発光素子群、１６ａ〜１６ｊ  発光素子、１７  中央発光素子群、１７ａ〜１７ｅ  発光素子、１８  左表示手段、１９  右表示手段、２０  中央表示手段、２１  基板、２２  制御手段、２３ａ  左加熱手段用温度センサー、２３ｂ  右加熱手段用温度センサー、２３ｃ  中央加熱手段用温度センサー、２４  ＩＣドライバー、２５  左加熱手段用インバーター回路、２６  右加熱手段用インバーター回路、２７  中央加熱手段用インバーター回路、２８ａ  左火力表示手段用発光素子導光部材、２８ｂ  右火力表示手段用発光素子導光部材、２８ｃ  中央火力表示手段用発光素子導光部材、２９ａ  外加熱コイル、２９ｂ  内加熱コイル、２９ｃ  加熱コイル、２９ｄ  加熱コイル、３０  温度センサー、３１  温度センサー、３２  温度センサー、３３ａ  外加熱コイル１、３３ｂ  外加熱コイル２、３３ｃ  外加熱コイル３、３３ｄ  外加熱コイル４、１００  加熱調理器。
【図１】
2015041495.tif 000003
【図２】
2015041495.tif 000004
【図３】
2015041495.tif 000005
【図４】
2015041495.tif 000006
【図５】
2015041495.tif 000007
【図６】
2015041495.tif 000008
【図７】
2015041495.tif 000009
【図８】
2015041495.tif 000010
【図９】
2015041495.tif 000011
【図１０】
2015041495.tif 000012
【図１１】
2015041495.tif 000013
【図１２】
2015041495.tif 000014
【図１３】
2015041495.tif 000015